(57)【要約】  【課題】プロジェクタ付き電子機器および補助装置を組み合わせ、使いやすい投影システムを提供する。  【解決手段】プロジェクタ付き携帯電話機１０を載置するクレードル２０に操作部材２１を設け、この操作部材２１によってプロジェクタ付き携帯電話機１０の投影に関する操作を可能にする。クレードル２０上にプロジェクタ付き携帯電話機１０を載置した状態で、プロジェクタモジュール６からの投影光束がクレードル２０によってけられないようにする。クレードル２０上にプロジェクタ付き携帯電話機１０を載置した状態で、プロジェクタモジュール６の投射光軸が水平方向より１０度上向きになるようにクレードル２０の機器載置部２２を構成する。  【選択図】図３
2007074653.tif 000002
【特許請求の範囲】
【請求項１】
光学像を投影する投影手段を有するプロジェクタ付き電子機器と、
前記投影手段の投影光学系を塞がないように前記プロジェクタ付き電子機器を載置する機器載置部を有し、前記プロジェクタ付き電子機器との間で電源供給もしくは信号を送受する補助装置とを備えることを特徴とする投影システム。
【請求項２】
光学像を投影する投影手段を有するプロジェクタ付き電子機器と、
前記投影手段の投射光軸を水平方向より所定角度上向きにするように前記プロジェクタ付き電子機器を載置する機器載置部を有する補助装置とを備えることを特徴とする投影システム。
【請求項３】
光学像を投影する投影手段、補助装置との間で通信を行う第１通信手段、前記第１通信手段からの信号に応じて前記投影手段を制御する投影制御手段を有するプロジェクタ付き電子機器と、
前記プロジェクタ付き電子機器を載置する機器載置部、前記プロジェクタ付き電子機器との間で通信を行う第２通信手段、操作信号を出力する操作部材、および前記操作信号を前記プロジェクタ付き電子機器へ送信するように前記第２通信手段を制御する通信制御手段を有する補助装置とを備えることを特徴とする投影システム。
【発明の詳細な説明】
【技術分野】
【０００１】
本発明は、光学像を投影するプロジェクタ付き電子機器に関する。
【背景技術】
【０００２】
携帯電話機などの小型機器に投影機能を備えた電子機器が知られている（特許文献１参照）。特許文献１に記載のプロジェクタ付き携帯電話機は、通話者が通話しながら通話者自身の手のひらに情報を投影したり、通話しながら壁面に情報を投影したりする。
【０００３】
【特許文献１】特開２０００−２３６３７５号公報
【発明の開示】
【発明が解決しようとする課題】
【０００４】
特許文献１には、プロジェクタ付き電子機器をクレードルのような補助装置と組み合わせる技術について開示されていない。
【課題を解決するための手段】
【０００５】
請求項１に記載の発明による投影システムは、光学像を投影する投影手段を有するプロジェクタ付き電子機器と、投影手段の投影光学系を塞がないようにプロジェクタ付き電子機器を載置する機器載置部を有し、プロジェクタ付き電子機器との間で電源供給もしくは信号を送受する補助装置とを備えることを特徴とする。
請求項２に記載の発明による投影システムは、光学像を投影する投影手段を有するプロジェクタ付き電子機器と、投影手段の投射光軸を水平方向より所定角度上向きにするようにプロジェクタ付き電子機器を載置する機器載置部を有する補助装置とを備えることを特徴とする。
請求項３に記載の発明による投影システムは、光学像を投影する投影手段、補助装置との間で通信を行う第１通信手段、第１通信手段からの信号に応じて投影手段を制御する投影制御手段を有するプロジェクタ付き電子機器と、プロジェクタ付き電子機器を載置する機器載置部、プロジェクタ付き電子機器との間で通信を行う第２通信手段、操作信号を出力する操作部材、および操作信号をプロジェクタ付き電子機器へ送信するように第２通信手段を制御する通信制御手段を有する補助装置とを備えることを特徴とする。
【発明の効果】
【０００６】
本発明によれば、プロジェクタ付き電子機器および補助装置を組み合わせ、使いやすい投影システムを提供できる。
【発明を実施するための最良の形態】
【０００７】
以下、図面を参照して本発明を実施するための最良の形態について説明する。本発明による投影システムは、プロジェクタ付き携帯電話機およびクレードルによって構成される。クレードル上にプロジェクタ付き携帯電話機が載置されると、クレードルおよびプロジェクタ付き携帯電話機はインターフェース接続され、両者の間で通信および電源供給を行う。インターフェースには、少なくとも制御信号ライン（Control I/F）、データ信号ライン(Data I/F)、および電源ラインが含まれている。
【０００８】
≪プロジェクタ付き携帯電話機≫
図１は、一実施の形態によるプロジェクタ付き携帯電話機１０の外観図であり、(a)は正面図、(b)は側面図、(c)は背面図である。図１において、プロジェクタ付き携帯電話機１０の筺体は操作部１および表示部２によって構成され、操作部１と表示部２は回動可能なヒンジ部３によって支持される。すなわち、プロジェクタ付き携帯電話機１０は、ヒンジ部３を回動中心にして折り畳み可能に構成される。ヒンジ部３には不図示のクリック機構が設けられており、操作部１および表示部２間の相対角（折り畳み角）θが、たとえば０度、８０度、９０度、および１５０度の位置でそれぞれクリック機構がはたらく。折り畳み状態はθ＝０度である。なお、ヒンジ部３は上述したクリック位置でなくても、任意の角度で保持可能に構成されている。
【０００９】
操作部１には、使用者による操作入力を受け付ける操作キーが配設されている。操作キーには、メインスイッチ１４の他、カメラ機能やメール送受信機能、インターネットへの接続機能などを備えた一般の携帯電話機と同様の操作キーが含まれる。たとえば、通話の開始および終了を指示する操作キー１５、電話番号や文字等を入力する操作キー、画面操作用のカーソルキー１６、カメラ撮影モードやメール送受信モード、インターネットへの接続モードなど各種の動作モードへ切替えるための操作キーが含まれる。
【００１０】
操作部１にはさらに、上述した操作キーに加えて、後述するプロジェクタモジュール６を用いて光学像を投影する動作モード（プロジェクタモード）へ切替えるための操作キー１１が配設されている。投影操作キー１１が押下操作されると、プロジェクタ付き携帯電話機はプロジェクタモードへ移行し、プロジェクタモジュール６による光学像をスクリーンや壁面などに向けて投影する。
【００１１】
表示部２には、正面側に液晶表示器４が配設され、背面側にプロジェクタモジュール６とカメラモジュール７が配設される。背面側にはさらに、スライド式のレンズカバー８が設けられている。図１(c)はレンズカバー８の開状態を示し、レンズカバー８が図１(c)において下方向にスライドか操作されると、レンズカバー８はプロジェクタモジュール６およびカメラモジュール７の両レンズを覆うように閉鎖する。
【００１２】
図２は、図１のプロジェクタ付き携帯電話機１０の回路構成を説明するブロック図である。図２において、プロジェクタ付き携帯電話機１０の操作部１側には、ＣＰＵ１０１と、メモリ１０２と、マイク１０５と、外部インターフェース(I/F)１０６と、電源回路１０７と、通信制御部１０８と、アンテナ１０９と、操作部材１１０と、スピーカー１１１と、開閉角度センサ１１２とが備えられ、バッテリー１０３およびメモリカード１０４がそれぞれ装着されている。
【００１３】
表示部２側には、液晶表示器４と、プロジェクタモジュール６と、カメラモジュール７と、スピーカー２０１とが備えられている。プロジェクタモジュール６およびカメラモジュール７は、図１(c)に示すように、投影光学系の開口と撮影光学系の開口とがそれぞれ同じ面に並べて配設され、両光学系の光軸は平行である。
【００１４】
ＣＰＵ１０１は、制御プログラムに基づいて、プロジェクタ付き携帯電話機１０を構成する各部から入力される信号を用いて所定の演算を行うなどして、プロジェクタ付き携帯電話機１０の各部に対する制御信号を送出することにより、電話機動作、カメラ動作、プロジェクタ動作をそれぞれ制御する。なお、制御プログラムはＣＰＵ１０１内の不図示の不揮発性メモリに格納されている。ＣＰＵ１０１はさらに、プロジェクタモジュール６が投影する画像のデータに対する台形歪み補正（キーストン補正）を画像処理によって行う。
【００１５】
メモリ１０２はＣＰＵ１０１の作業用エリアとして使用される。メモリカード１０４は不揮発性メモリによって構成され、ＣＰＵ１０１の指令により、たとえば、カメラモジュール７より出力される画像データや、外部インターフェイス１０６を介して外部から入力される映像・音声データなどのデータの書き込み、保存および読み出しが可能である。
【００１６】
マイク１０５は、集音した音声を電気信号に変換してＣＰＵ１０１へ送出する。音声信号は、録音時にはメモリカード１０４に記録され、通話時には通信制御部１０８へ送られる。外部インターフェイス(I/F)１０６は、ＣＰＵ１０１の指令により後述するクレードル、もしくはクレードルに接続されている外部機器との間でデータを送受信する。送受信するデータは、映像・音声データや、プロジェクタ付き携帯電話機１０に対する制御信号である。外部インターフェース１０６には、電源ラインも含まれている。
【００１７】
なお、外部インターフェイス(I/F)１０６は、プロジェクタモジュール６が投影中はデータの送受信を中断し、プロジェクタモジュール６の投影が終了すると送受信を再開するようにＣＰＵ１０１によって制御される。
【００１８】
スピーカー１１１は、ＣＰＵ１０１から出力された音声信号による音声を再生する。操作部材１１０は、上述した操作キーなどを含み、各操作キーに対応する操作信号をＣＰＵ１０１へ送出する。
【００１９】
通信制御部１０８は無線送受信回路を含み、ＣＰＵ１０１の指令により不図示の基地局を介して他の電話機などとの間で通信を行う。通信制御部１０８は、電話音声の他にもメールなどのテキストデータ、カメラモジュール７で撮影された画像データ、プロジェクタモジュール６で投影するための画像データなどを送受信可能に構成されている。アンテナ１０９は、通信制御部１０８の送受信アンテナである。
【００２０】
バッテリー１０３は充電可能な二次電池によって構成され、プロジェクタ付き携帯電話機１０内の各部へ電力を供給する。電源回路１０７はＤＣ／ＤＣ変換回路、充電回路、および電圧検出回路を含み、バッテリー１０３の電圧をプロジェクタ付き携帯電話機１０内の各部で必要な電圧に変換する他、バッテリー１０３の電圧が低く、残容量が低下している場合に外部インターフェース１０６を介して供給される充電用電流でバッテリー１０３を充電する。
【００２１】
なお、電源回路１０７は、プロジェクタモジュール６が投影中はバッテリー１０３の充電を中断し、プロジェクタモジュール６の投影が終了すると充電を再開するようにＣＰＵ１０１によって制御される。
【００２２】
開閉角度センサ１１２はヒンジ部３の回動角、すなわちプロジェクタ付き携帯電話機１０の折り畳み角θを検出して、検出信号をＣＰＵ１０１へ送出する。液晶表示器４は、ＣＰＵ１０１の指令により画像やテキストなどの情報を表示する。スピーカー２０１は、通話時にＣＰＵ１０１から出力された音声信号による音声を再生する。
【００２３】
（カメラモジュール）
カメラモジュール７は、撮影レンズ（撮影光学系）７１と、イメージセンサ７２と、レンズ駆動回路７３と、撮影制御回路７４とを含む。イメージセンサ７２としては、ＣＣＤやＣＭＯＳ撮像素子などが用いられる。撮影制御回路７４は、ＣＰＵ１０１からの指令によりイメージセンサ７２およびレンズ駆動回路７３を駆動制御するとともに、イメージセンサ７２から出力される撮像信号（蓄積電荷信号）に対して所定の画像処理を行う。画像処理は、ホワイトバランス処理やガンマ処理などである。
【００２４】
撮影レンズ７１は、イメージセンサ７２の撮像面上に被写体像を結像させる。撮影制御回路７４は、撮影開始指示に応じてイメージセンサ７２に撮像を開始させ、撮像終了後にイメージセンサ７２から蓄積電荷信号を読出し、上記画像処理を施した上で画像データとしてＣＰＵ１０１や通信制御部１０８へ送出する。
【００２５】
レンズ駆動回路７３は、撮影制御回路７４から出力されるフォーカス調節信号に基づいて、撮影レンズ７１を構成するフォーカスレンズ（不図示）を光軸方向に進退駆動する。また、レンズ駆動回路７３は、撮影制御回路７４から出力されるズーム調節信号に基づいて、撮影レンズ７１を構成するズームレンズ（不図示）を光軸方向（テレ側もしくはワイド側）へ進退駆動する。フォーカス調節量およびズーム調節量は、ＣＰＵ１０１から撮影制御回路７４へ指示される。
【００２６】
（カメラのフォーカス調節）
カメラモジュール７は、撮影レンズ７１を構成するフォーカスレンズを光軸方向にシフトすることにより、撮影レンズ７１のフォーカス調節を行う。オートフォーカス調節を行う場合のＣＰＵ１０１は、イメージセンサ７２で撮像された画像信号のうち、フォーカス検出エリア（たとえば撮影画面中央）に対応する画像信号についての高周波数成分の積算値（いわゆる焦点評価値）を最大にするように、フォーカス調節信号を撮影制御回路７４へ送る。焦点評価値を最大にするフォーカスレンズの位置は、イメージセンサ７２によって撮像される被写体像のエッジのボケをなくし、画像のコントラストを最大にする合焦位置である。
【００２７】
（カメラのズーム調節）
カメラモジュール７は、撮影レンズ７１を構成するズームレンズを光軸方向にシフトすることにより、撮影レンズ７１の光学ズーム調節を行う。ＣＰＵ１０１は、操作部材１１０からのズーム操作信号に応じてズーム調節信号を撮影制御回路７４へ送る。
【００２８】
（プロジェクタモジュール）
プロジェクタモジュール６は、投影レンズ（投影光学系）６１と、液晶パネル６２と、ＬＥＤ光源６３と、投射制御回路６４と、レンズ駆動回路６５とを含む。投射制御回路６４は、ＣＰＵ１０１から出力される投影指令に応じてＬＥＤ光源６３に駆動電流を供給する。ＬＥＤ光源６３は、供給された電流に応じた明るさで液晶パネル６２を照明する。
【００２９】
投射制御回路６４はさらに、ＣＰＵ１０１から送出される画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。
【００３０】
投影レンズ６１は、液晶パネル６２から射出される光像をスクリーンなどへ向けて投影する。レンズ駆動回路６５は、投射制御回路６４から出力されるオフセット調節信号に基づいて、投影レンズ６１を光軸に対して直交する方向へ進退駆動する。また、レンズ駆動回路６５は、投射制御回路６４から出力されるフォーカス調節信号に基づいて、投影レンズ６１を構成するフォーカスレンズ（不図示）を光軸方向へ進退駆動する。レンズ駆動回路６５はさらに、投射制御回路６４から出力されるズーム調節信号に基づいて、投影レンズ６１を構成するズームレンズ（不図示）を光軸方向へ進退駆動する。オフセット調節量、フォーカス調節量およびズーム調節量は、ＣＰＵ１０１から投射制御回路６４へ指示される。
【００３１】
プロジェクタモジュール６は、投影中に通話操作が行われると投影を中断し、通話が終了すると投影を再開するようにＣＰＵ１０１によって制御される。さらに、プロジェクタモジュール６は、カメラモジュール７による撮影時に投影を終了するようにＣＰＵ１０１によって制御される。
【００３２】
（投射像のオフセット）
投影レンズ６１が光軸と直交する向きにシフトされることにより、プロジェクタモジュール６から射出される光束の射出方向が変化し、投射像がオフセットされる。投射像のオフセットは、投影レンズ６１をシフトさせて行う他にも、液晶パネル６２、ＬＥＤ光源６３を光軸に対して垂直方向にシフトさせて行う構成としてもよい。すなわち、投影レンズ６１と液晶パネル６２の相対的位置関係を光軸に垂直な方向に変化させることで、投射像のオフセットを実現できる。
【００３３】
（投射像のキーストン補正）
投影レンズ６１、液晶パネル６２、ＬＥＤ光源６３の一部を光軸に対して垂直方向にシフトさせる際には、そのシフト量に応じて投影するデータに対するキーストン補正を行う。投射像に上記オフセットを与えるだけでは投射像が台形状に変化するので、ＣＰＵ１０１は、投射像を台形状から長方形状に補正するために画像処理による電気的なキーストン補正を施す。ＣＰＵ１０１内のメモリには、あらかじめ投射像を方形状に補正するための初期補正値が記憶されている。ＣＰＵ１０１は、オフセット調節量に対応する初期補正値を読み出し、読み出した初期補正値を元に投影する像のデータに対するキーストン補正処理をメモリ１０２上で施し、キーストン補正処理後の画像データを投射制御回路６４へ送出する。
【００３４】
（投射像のフォーカス調節）
投影レンズ６１を構成するフォーカスレンズを光軸方向にシフトすることにより、プロジェクタモジュール６は投射像のフォーカス調節を行う。ＣＰＵ１０１は、操作部材１１０からの操作信号に応じてフォーカス調節信号を投射制御回路６４へ送る。
【００３５】
（投射像のズーム調節）
投影レンズ６１を構成するズームレンズを光軸方向にシフトすることにより、プロジェクタモジュール６は投射像のズーム調節を行う。ＣＰＵ１０１は、操作部材１１０からの操作信号に応じてズーム調節信号を投射制御回路６４へ送る。
【００３６】
（投影ソース：source）
プロジェクタモジュール６は、ＣＰＵ１０１の指令により下記ソース１．〜ソース３．のいずれかによるコンテンツを投影および再生する。ＣＰＵ１０１は、操作部材１１０からソース切替え操作信号が入力されるごとに、ソース１．〜ソース３．の投影画像をソース１．→２．→３．→１．…の順にサイクリックに切替えるように、各画像に対応する画像データをプロジェクタモジュール６へ送出する。ただし、プロジェクタ付き携帯電話機１０にメモリカード１０４が装着されていない場合にはソース１．がスキップされる。また、外部インターフェイス(I/F)１０６に外部機器が接続されていない場合にはソース３．がスキップされる。
【００３７】
ソース１．メモリカード１０４から読出したデータによる再生画像
ソース２．通信制御部１０８で受信されたデータによる再生画像
ソース３．外部インターフェイス(I/F)１０６から入力されたデータによる再生画像
【００３８】
ＣＰＵ１０１は、上記ソース１．に対応する画像を投影する場合、記録日時が最も新しい（記録されている画像データの中で最後に撮影されたもの）画像データをメモリカード１０４から順に読出し、読出した画像データをプロジェクタモジュール６へ送出する。また、上記コンテンツのデータとしてテキストデータが選択された場合（たとえば、アドレス情報やメール情報など）は、テキスト画面を投影するためのデータをプロジェクタモジュール６へ送出する。
【００３９】
≪クレードル≫
図３は、クレードル２０およびプロジェクタ付き携帯電話機１０を説明する斜視図である。図３において、クレードル２０の機器載置部２２にプロジェクタ付き携帯電話機１０が折り畳み状態で載置される。機器載置部２２は、プロジェクタ付き携帯電話機１０を載置した状態において、プロジェクタ付き携帯電話機１０を鉛直方向から１０度傾けて支持するとともに、プロジェクタモジュール６の投影光学系の開口、カメラモジュール７の撮影光学系の開口を塞がないように構成されている。これにより、プロジェクタモジュール６の投射光軸は水平方向より１０度上向きになる。また、プロジェクタモジュール６からの投影光束にけられが生じない。
【００４０】
レンズカバー８が開状態のプロジェクタ付き携帯電話機１０は、プロジェクタモジュール６およびカメラモジュール７のそれぞれがクレードル２０上に載置状態のままで投影および撮影可能に構成されている。
【００４１】
クレードル２０には操作部材２１が配設されている。操作部材２１は、メインスイッチ、光源オン／オフスイッチ、投影ソース切替えスイッチ、画面操作用のカーソルキーなどを含み、クレードル２０からプロジェクタ付き携帯電話機１０に対する操作が行えるように構成されている。
【００４２】
図４は、クレードル２０の回路構成を説明するブロック図である。図４において、クレードル２０には、ＣＰＵ２０１と、メモリ２０２と、操作部材２１と、ハードディスクドライブ(HDD)２０４と、電源回路２０６と、検出スイッチ２０８と、プロジェクタインターフェース(I/F)２１０と、ステレオスピーカーシステム２０９と、外部インターフェース(I/F)２０５とが備えられ、バッテリー２０７、およびメモリカード２１１および２１２がそれぞれ装着されている。
【００４３】
コントローラであるＣＰＵ２０１は、制御プログラムに基づいて、クレードル２０を構成する各部から入力される信号を用いて所定の演算を行うなどして、クレードル２０の各部に対する制御信号を送出することにより、クレードル２０の動作を制御する。なお、制御プログラムはＣＰＵ２０１内の不図示の不揮発性メモリに格納されている。
【００４４】
メモリ２０２はＣＰＵ２０１の作業用メモリとして使用される。操作部材２１は、上述した各操作スイッチに対応する操作信号をＣＰＵ２０１へ送出する。
【００４５】
メモリカード２１１および２１２は、それぞれが不揮発性メモリによって構成された異なるタイプの記録媒体である。メモリカード２１１および２１２は、ＣＰＵ２０１からの指令によってそれぞれ個別に映像・音声データなどのデータの書き込み、保存および読み出しが可能である。
【００４６】
ハードディスクドライブ(HDD)２０４は、メモリカードに比べて大容量の記録装置である。ハードディスクドライブ(HDD)２０４は、ＣＰＵ２０１からの指令により映像・音声データなどのデータの書き込み、保存および読み出しが可能である。ハードディスクドライブ(HDD)２０４は、プロジェクタ付き携帯電話機１０が投影した画像データをコピーして保存したり、プロジェクタ付き携帯電話機１０が投影した画像データの履歴情報を保存したりすることも可能に構成される。
【００４７】
外部インターフェース(I/F)２０５は、ＣＰＵ２０１の指令によりパーソナルコンピュータ（ＰＣ）などの外部機器との間でデータを送受信する。送受信するデータは、プロジェクタ付き携帯電話機１０から送信されるデータ、クレードル２０内に保存されているデータ、外部機器から送信されるデータ、およびプロジェクタ付き携帯電話機１０に対する制御信号などである。ステレオスピーカーシステム２０９は、ＣＰＵ２０１から出力される音声信号をステレオ再生する。ステレオスピーカー２０９（左２０９Ｌ、右２０９Ｒ）は増幅回路を含み、各スピーカーの口径はプロジェクタ付き携帯電話機１０側のスピーカー１１１に比べて大きく構成され、より高品位の再生が行える。
【００４８】
バッテリー２０７は充電可能な二次電池によって構成され、クレードル２０内の各部へ電力を供給する。電源回路２０６はＤＣ／ＤＣ変換回路、充電回路、および電圧検出回路を含み、バッテリー２０７の電圧をクレードル２０内の各部で必要な電圧に変換する他、バッテリー２０７の電圧が低く、残容量が低下している場合には商用電源からＡＣ／ＤＣアダプタ２３を介して供給される電流でバッテリー２０７を充電する。
【００４９】
電源回路２０６はさらに、クレードル２０上に載置されているプロジェクタ付き携帯電話機１０側へも電源供給を行うように構成されている。バッテリー２０７の容量は、プロジェクタ付き携帯電話機１０側のバッテリー１０３の容量より大きく構成されており、クレードル２０に商用電源が接続されていない場合でも、バッテリー２０７の電力でクレードル２０およびプロジェクタ付き携帯電話機１０を駆動できる。
【００５０】
検出スイッチ２０８はクレードル２０上の機器載置部２２にプロジェクタ付き携帯電話機１０が載置された場合にオンされ、検出信号をＣＰＵ２０１へ送出する。プロジェクタ付き携帯電話機１０が機器載置部２２に載置されていない場合にはオフされ、検出信号は送出しない。
【００５１】
プロジェクタインターフェース(I/F)２１０は、ＣＰＵ２０１の指令によりプロジェクタ付き携帯電話機１０（外部インターフェイス(I/F)１０６）との間でデータを送受信する。プロジェクタ付き携帯電話機１０から送信されるデータは、映像・音声データ、アドレスデータ、メールデータなどである。プロジェクタ１０へ送信するデータはプロジェクタ付き携帯電話機１０に対する制御信号である。プロジェクタインターフェース(I/F)２１０には、電源ラインも含まれている。
【００５２】
（プロジェクタ付き携帯電話機のプロジェクタ処理）
上述したプロジェクタ付き携帯電話機１０のＣＰＵ１０１によって行われるプロジェクタ処理の流れについて、図５および図６のフローチャートを参照して説明する。図５による処理は、プロジェクタ付き携帯電話機１０にバッテリー１０３が装填されると起動する。図５のステップＳ１において、ＣＰＵ１０１は、メインスイッチ１４がオン操作されたか否かを判定する。ＣＰＵ１０１は、操作部材１１０を構成するメインスイッチ１４が１秒以上長押し操作されるとステップＳ１を肯定判定し、所定の電源オン処理を施してステップＳ２へ進む。押下操作が１秒に満たない場合にはステップＳ１を否定判定し、当該判定処理を繰り返す。
【００５３】
ステップＳ２において、ＣＰＵ１０１はプロジェクタモジュール６のイニシャルチェックを行う。具体的には、ＣＰＵ１０１が投射制御回路６４へ指令を送り、液晶パネル６２の全画素を非透過状態にした上でＬＥＤ光源６３へ所定電流を供給させてセルフチェックを行い、ステップＳ３へ進む。液晶パネル６２の全画素を非透過状態にし、ＬＥＤ光源６３へ供給する電流を低く抑えることにより、チェック時の発光によって使用者に不快感を与えることがない。
【００５４】
ステップＳ３において、ＣＰＵ１０１は異常がないか否かを判定する。ＣＰＵ１０１は、投射制御回路６４によって診断された電流値が所定範囲内であれば正常と判定してステップＳ４へ進み、電流値が所定範囲から外れている場合には異常と判定してステップＳ７へ進む。
【００５５】
ステップＳ７において、ＣＰＵ１０１はアラーム表示を行って図６のステップＳ２２へ進む。アラーム表示の例は、開閉角度センサ１１２によって折り畳み角θ＝０度が検出されている場合（折り畳み状態）、不図示のＬＥＤランプ（電話機の報知用ランプ）を点滅させることによって行う。また、開閉角度センサ１１２によって折り畳み角θ≠０度が検出されている場合には、液晶表示器４に「プロジェクタが異常です。」というメッセージを表示させることによって行う。
【００５６】
ステップＳ４において、ＣＰＵ１０１は、クレードル２０から制御信号が送信されているか否かを判定する。ＣＰＵ１０１は、外部インターフェース(I/F)１０６によって制御信号が受信された場合にステップＳ４を肯定判定してステップＳ５へ進み、制御信号が受信されていない場合にはステップＳ４を否定判定し、ステップＳ８へ進む。
【００５７】
ステップＳ５へ進むＣＰＵ１０１は、プロジェクタ付き携帯電話機１０がクレードル２０上の機器載置部２２に載置されたとみなす。ステップＳ５において、ＣＰＵ１０１は、スピーカー１１１による再生に代えてクレードル２０（ステレオスピーカー２０９）から再生するように切替えてステップＳ６へ進む。具体的には、音声信号の送信先をスピーカー１１１からクレードル２０へ切り替える。
【００５８】
ステップＳ６において、ＣＰＵ１０１は投射制御回路６４へ送信する際の投影データを１８０度回転させて、上下逆さにするようにしてステップＳ１０へ進む。
【００５９】
ステップＳ８へ進むＣＰＵ１０１は、プロジェクタ付き携帯電話機１０が単体で使用されるとみなす。ステップＳ８において、ＣＰＵ１０１は、スピーカー１１１による再生に切替えてステップＳ９へ進む。具体的には、音声信号の送信先をクレードル２０からスピーカー１１１へ切り替える。
【００６０】
ステップＳ９において、ＣＰＵ１０１は、開閉角度センサ１１２によって検出される折り畳み角θが０度、８０度、１５０度のいずれでもない場合、投射制御回路６４へ送信する際の投影データを１８０度回転させて、上下逆さにするようにしてステップＳ１０へ進む。検出される折り畳み角θが０度、８０度、および１５０度のいずれかである場合には、投影データを回転させないで投射制御回路６４へ送信する。
【００６１】
ステップＳ１０において、ＣＰＵ１０１は投影が指示されたか否かを判定する。ＣＰＵ１０１は、操作部材１１０を構成する光源オン／オフスイッチ（投影操作キー）１１からオン操作（押下操作）信号が入力される、レンズカバー８の開操作を示す信号が入力される、もしくはクレードル２０からのオン指示が外部インターフェース(I/F)１０６を介して入力される、のいずれかの場合に、ステップＳ１０を肯定判定してステップＳ１１へ進む。ＣＰＵ１０１は、少なくともレンズカバー８の開操作を示す信号が入力されない（閉操作を示す信号が入力されている）場合には、ステップＳ１０を否定判定して図６のステップＳ２２へ進む。
【００６２】
ステップＳ１１において、ＣＰＵ１０１は、たとえば３秒間遅延させてから投射制御回路６４へ指令を送り、現在の時刻を示す画像の投影を所定時間（たとえば、１０秒間）行わせてステップＳ１２へ進む。このとき、ＬＥＤ光源６３に供給する電流を所定値まで徐々に高めるように制御することにより、投影像を徐々に明るくする。また、プロジェクタ付き携帯電話機１０がクレードル２０に載置されておらず、液晶表示器４に表示を行っている場合には液晶表示器４の表示をオフさせる。
【００６３】
ステップＳ１２において、ＣＰＵ１０１は再び投影が指示されたか否かを判定する。ＣＰＵ１０１は、現在の時刻を示す画像を投影中に操作部材１１０を構成する光源オン／オフスイッチ１１からオン操作（押下操作）信号が入力される、もしくはクレードル２０からのオン指示が外部インターフェース(I/F)１０６を介して入力される、のいずれかの場合に、ステップＳ１２を肯定判定してステップＳ１３へ進む。上記各信号およびオン指示のいずれも入力されない場合には、ステップＳ１２を否定判定して図６のステップＳ２２へ進む。
【００６４】
ステップＳ１３において、ＣＰＵ１０１は投射制御回路６４へ指令を送り、現在の時刻を示す画像に代えて再生画像の投影を開始させる。ステップＳ１４において、ＣＰＵ１０１は、記録日時が最も新しい画像データをメモリカード１０４から読出し、読出した画像データを再生用の画像データとして図６のステップＳ１５へ進む。ＣＰＵ１０１が再生用画像データを投射制御回路６４へ送信することにより、再生用画像データによる再生画像が投影される。なお、ＣＰＵ１０１は、投影中の画像のデータファイルに対応付けられて音声データが記憶されている場合、当該音声データによる音声を再生させる。なお、再生スピーカーは、ステップＳ５もしくはステップＳ８において切替えられているスピーカーである。
【００６５】
図６のステップＳ１５において、ＣＰＵ１０１は、コマ送り／コマ戻し操作が行われたか否かを判定する。ＣＰＵ１０１は、コマ送りもしくはコマ戻しを指示する操作信号が操作部材１１０もしくは外部インターフェース(I/F)１０６（クレードル２０）から入力されるとステップＳ１５を肯定判定して図５のステップＳ１４へ戻り、操作信号に対応する画像データをメモリカード１０４から読出し、読出した画像データを再生用の画像データとする。一方、ＣＰＵ１０１は、コマ送りおよびコマ戻しを指示する操作信号がいずれも入力されない場合には、ステップＳ１５を否定判定してステップＳ１６へ進む。
【００６６】
ＣＰＵ１０１は、拡大表示（電子ズーム）していない状態で画面操作用のカーソルキー１６から出力される操作信号を、コマ送り／コマ戻し操作信号として扱う。また、拡大表示（電子ズーム）している状態でカーソルキー１６から出力される操作信号を、スクロール操作信号として扱う。
【００６７】
ステップＳ１６において、ＣＰＵ１０１は、ソース切替え操作が行われたか否かを判定する。ＣＰＵ１０１は、ソース切替えを指示する操作信号が操作部材１１０もしくは外部インターフェース(I/F)１０６（クレードル２０）から入力されるとステップＳ１６を肯定判定してステップＳ１９へ進み、ソース切替えを指示する操作信号が入力されない場合にはステップＳ１６を否定判定してステップＳ１７へ進む。
【００６８】
ステップＳ１７において、ＣＰＵ１０１は、投影終了が指示されたか否かを判定する。ＣＰＵ１０１は、操作部材１１０を構成する光源オン／オフスイッチ１１からオフ操作（押下操作）信号が入力される、レンズカバー８の閉操作を示す信号が入力される、もしくはクレードル２０からのオフ指示が外部インターフェース(I/F)１０６を介して入力される、のいずれかの場合に、ステップＳ１７を肯定判定してステップＳ２１へ進む。上記各信号およびオフ指示のいずれも入力されない場合には、ステップＳ１７を否定判定してステップＳ１８へ進む。
【００６９】
ステップＳ２１において、ＣＰＵ１０１は投射制御回路６４へ指令を送り、再生画像の投影を終了させてステップＳ２２へ進む。ステップＳ２２に進むＣＰＵ１０１は、ステップＳ１１で液晶表示器４の表示をオフさせている場合、液晶表示器４の表示をオンに戻してステップＳ２３へ進む。ステップＳ１１で液晶表示器４の表示をオフさせていない場合には、そのままステップＳ２３へ進む。
【００７０】
ステップＳ１８において、ＣＰＵ１０１は、再生用画像データが記録画像か否かを判定する。ＣＰＵ１０１は、再生用画像データがソース１．に対応する場合にステップＳ１８を肯定判定してステップＳ１５へ戻り、再生用画像データがソース２．およびソース３．のいずれかに対応する場合にはステップＳ１８を否定判定し、ステップＳ１６へ戻る。
【００７１】
ステップＳ１９において、ＣＰＵ１０１は、投影する画像データ（再生用の画像データ）を切替えてステップＳ２０へ進む。具体的には、ソース切替え操作が行われるごとに、メモリカード１０４から読み出したデータ（ソース１．）と、通信制御部１０８で受信されたデータ（ソース２．）と、外部インターフェース(I/F)１０６から入力されるデータ（ソース３．）とをサイクリックに切替えてステップＳ２０へ進む。ＣＰＵ１０１はさらに、ソース１．が選択されている状態でデータ選択操作が行われると、メモリカード１０４から読出すデータを画像→アドレス→メール→画像…の順にサイクリックに切替える。アドレスデータはアドレス帳を構成するデータであり、メールデータはメールボックス内のメールを構成するデータである。
【００７２】
ここで、投影する画像データを外部インターフェース(I/F)１０６から入力されるデータ（ソース３．）に切替える場合のＣＰＵ１０１は、投影ソース要求信号を外部インターフェース(I/F)１０６からクレードル２０へ送信させる。
【００７３】
ステップＳ２０において、ＣＰＵ１０１は、切替え後の再生用データが記録画像か否かを判定する。ＣＰＵ１０１は、再生用画像データがソース１．に対応する場合にステップＳ２０を肯定判定して図５のステップＳ１４へ戻り、データをメモリカード１０４から読出し、読出したデータを再生用の画像データとする。一方、ＣＰＵ１０１は、再生用画像データがソース２．およびソース３．のいずれかに対応する場合には、ステップＳ２０を否定判定してステップＳ１６へ戻る。この場合はコマ送り／戻し操作の判定は不要である。
【００７４】
ステップＳ２３において、ＣＰＵ１０１は、メインスイッチ１４がオフされたか否かを判定する。操作部材１１０を構成するメインスイッチ１４がオフ操作（１秒以上の長押し操作）されるとステップＳ２３を肯定判定してステップＳ２４へ進み、メインスイッチ１４がオフ操作されない場合にはステップＳ２３を否定判定し、図５のステップＳ４へ戻る。ステップＳ２４において、ＣＰＵ１０１は、所定の電源オフ処理を行って図６による処理を終了する。
【００７５】
なお、図５および図６による処理の途中であっても、電源回路１０７で検出されるバッテリー１０３の電圧が投影に必要な所定の判定閾値を下回ると、ＣＰＵ１０１がプロジェクタモジュール６による投影を禁止するように構成されている。禁止状態では、投影中の投影を終了させ、投影指示があっても投影を開始しない。
【００７６】
また、図５および図６による処理の途中でも、終了指示も操作信号もないまま投影時間が所定時間継続すると、ＣＰＵ１０１がオートパワーオフさせるように構成されている。具体的には、ＣＰＵ１０１がステップＳ２１，ステップＳ２２およびステップＳ２４の処理を強制的に行って図５および図６による処理を終了する。この場合の所定時間は、後述する「メニュー画面」において「連続投影時間」として設定される。
【００７７】
（クレードルのメイン処理）
上述したクレードル２０のＣＰＵ２０１によって行われるメイン処理の流れについて、図７のフローチャートを参照して説明する。図７による処理は、操作部材２１を構成するメインスイッチがオン操作されると起動する。図７のステップＳ５１において、ＣＰＵ２０１は、検出スイッチ２０８がオンされているか否かを判定する。ＣＰＵ２０１は、検出スイッチ２０８から検出信号が入力されている場合（検出スイッチオン）にステップＳ５１を肯定判定してステップＳ５２へ進み、検出スイッチ２０８から検出信号が入力されていない場合（検出スイッチオフ）にはステップＳ５１を否定判定し、ステップＳ５９へ進む。
【００７８】
ステップＳ５２において、ＣＰＵ２０１は、プロジェクタインターフェース(I/F)２１０からプロジェクタ付き携帯電話機１０へ制御信号を送信させてステップＳ５３へ進む。ステップＳ５３において、ＣＰＵ２０１は、プロジェクタ付き携帯電話機１０から投影ソースを要求されたか否かを判定する。ＣＰＵ２０１は、プロジェクタ付き携帯電話機インターフェース(I/F)２１０によって投影ソース要求信号が受信されている場合にステップＳ５３を肯定判定してステップＳ５４へ進み、投影ソース要求信号が受信されていない場合にはステップＳ５３を否定判定し、ステップＳ５９へ進む。
【００７９】
ステップＳ５９へ進む場合のＣＰＵ２０１は、プロジェクタ付き携帯電話機１０から音声信号が送信されると、プロジェクタ付き携帯電話機インターフェース(I/F)２１０によって受信される音声データによる音声をステレオスピーカー２０９からステレオ再生させる。
【００８０】
ステップＳ５４において、ＣＰＵ２０１は、記録日時が最も新しい画像データをメモリカード２１１から読出し、読出した画像データをプロジェクタ付き携帯電話機１０へ送信する画像データとする。ＣＰＵ２０１が画像データをプロジェクタ付き携帯電話機１０へ送信することにより、この画像データによる再生画像がプロジェクタ付き携帯電話機１０によって投影される。なお、ＣＰＵ２０１は、投影中の画像のデータファイルに対応付けられて音声データが記憶されている場合、当該音声データによる音声をステレオスピーカー２０９からステレオ再生させる。
【００８１】
ステップＳ５５において、ＣＰＵ２０１は、コマ送り／コマ戻し操作が行われたか否かを判定する。ＣＰＵ２０１は、操作部材２１からコマ送りもしくはコマ戻しを指示する操作信号が入力されるとステップＳ５５を肯定判定してステップＳ５４へ戻り、操作信号に対応する画像データをメモリカード２１１から読出し、読出した画像データをプロジェクタ付き携帯電話機１０へ送信する画像データとする。一方、ＣＰＵ２０１は、操作部材２１からコマ送りおよびコマ戻しを指示する操作信号がいずれも入力されない場合には、ステップＳ５５を否定判定してステップＳ５６へ進む。
【００８２】
ステップＳ５６において、ＣＰＵ２０１は、ソース切替え操作が行われたか否かを判定する。ＣＰＵ２０１は、操作部材２１からソース切替えを指示する操作信号が入力されるとステップＳ５６を肯定判定してステップＳ６１へ進み、ソース切替えを指示する操作信号が入力されない場合にはステップＳ５６を否定判定してステップＳ５７へ進む。
【００８３】
ステップＳ５７において、ＣＰＵ２０１は、投影ソースの要求が終了したか否かを判定する。ＣＰＵ２０１は、プロジェクタ付き携帯電話機インターフェース(I/F)２１０を介して投影ソースを要求する信号が入力されなくなった場合、ステップＳ５７を肯定判定してステップＳ５９へ進み、投影ソースの要求が継続されている場合にはステップＳ５７を否定判定してステップＳ５８へ進む。
【００８４】
ステップＳ５８において、ＣＰＵ２０１は、プロジェクタ付き携帯電話機１０へ送信している画像データが記録画像か否かを判定する。ＣＰＵ２０１は、送信中の画像データがメモリカード２１１、メモリカード２１２、およびハードディスクドライブ(HDD)２０４のいずれかに記録されている記録画像である場合、ステップＳ５８を肯定判定してステップＳ５５へ戻る。ＣＰＵ２０１は、送信中の画像データが外部インターフェース(I/F)２０５から入力された画像である場合にはステップＳ５８を否定判定し、ステップＳ５６へ戻る。
【００８５】
ステップＳ６１において、ＣＰＵ２０１は、プロジェクタ付き携帯電話機１０へ送信する画像データを切替えてステップＳ６２へ進む。具体的には、ソース切替え操作が行われるごとに、メモリカード２１１から読み出した画像データと、メモリカード２１２から読み出した画像データと、ハードディスクドライブ(HDD)２０４から読み出した画像データと、外部インターフェース(I/F)２０５から入力される画像データとを順次切替えてステップＳ６２へ進む。なお、クレードル２０にメモリカードが装着されていない場合は、該当する記録媒体からの画像データ読出しをスキップする。
【００８６】
ステップＳ６２において、ＣＰＵ２０１は、プロジェクタ付き携帯電話機１０へ送信する画像データが記録画像か否かを判定する。ＣＰＵ２０１は、送信する画像データがメモリカード２１１、メモリカード２１２、およびハードディスクドライブ(HDD)２０４のいずれかに記録されている記録画像である場合にステップＳ６２を肯定判定してステップＳ５４へ戻り、該当する記録媒体から画像データを読出し、読出した画像データをプロジェクタ付き携帯電話機１０へ送信する画像データとする。一方、ＣＰＵ２０１は、送信する画像データが外部インターフェース(I/F)２０５から入力される画像データに切替えられた場合には、ステップＳ６２を否定判定してステップＳ５６へ戻る。この場合はコマ送り／戻し操作の判定は不要である。
【００８７】
ステップＳ５９において、ＣＰＵ２０１は、メインスイッチがオフされたか否かを判定する。ＣＰＵ２０１は、操作部材２１を構成するメインスイッチがオフ操作されるとステップＳ５９を肯定判定してステップＳ６０へ進み、メインスイッチがオフ操作されない場合にはステップＳ５９を否定判定し、ステップＳ５１へ戻る。ステップＳ６０において、ＣＰＵ２０１は、所定の電源オフ処理を行って図７による処理を終了する。
【００８８】
（プロジェクタ付き携帯電話機のメニュー設定）
本実施形態のプロジェクタ付き携帯電話機１０は、プロジェクタモジュール６による投影像で電話やメールの着信を報知する。この報知を行うためにプロジェクタ付き携帯電話機１０に対して行われる設定内容について説明する。
【００８９】
プロジェクタ付き携帯電話機１０は、操作部材１１０を構成する操作キー１２が押下操作されると液晶表示器４に「メニュー画面」を表示する。メニュー画面にはインターネット接続メニュー（画面Ａ．とする）、プロジェクタ調節メニュー（画面Ｂ．とする）、着信設定メニュー（画面Ｃ．とする）などが含まれ、通常は操作キー１２の押下操作に応じてインターネット接続メニュー（画面Ａ．）が最初に表示される。
【００９０】
この状態で画面操作用のカーソルキー１６が右方向に操作されると、プロジェクタ付き携帯電話機１０は、液晶表示器４に表示するメニュー画面を画面Ａ．→画面Ｂ．→画面Ｃ．、…、→画面Ａ．の順にサイクリックに切り替える。また、カーソルキー１６が左方向に操作されると、プロジェクタ付き携帯電話機１０は、液晶表示器４に表示するメニュー画面を画面Ａ．→、…、→画面Ｃ．→画面Ｂ．→画面Ａ．の順にサイクリックに切り替える。メニュー画面表示中のカーソルキー１６による左右方向の操作信号は、メニュー画面選択指示に対応する。
【００９１】
図８は、メニュー画面のうちプロジェクタ調節メニュー（画面Ｂ．）を例示する図である。図８において、輝度、壁色、台形（たて）、台形（よこ）、フォーカス、連続投影時間、自動点灯（タイマー）、自動点灯（折り畳み）という項目が表示され、先頭の「輝度」にカーソルがおかれている（枠で表示）。この状態で画面操作用のカーソルキー１６が下方向に操作されると、プロジェクタ付き携帯電話機１０はカーソル位置を下方向に移動させる。また、画面操作用のカーソルキー１６が上方向に操作されると、プロジェクタ付き携帯電話機１０はカーソル位置を上方向に移動させる。メニュー画面表示中のカーソルキー１６による上下方向の操作信号は、項目選択指示に対応する。
【００９２】
「輝度」は、プロジェクタモジュール６による投影輝度を表し、プロジェクタ付き携帯電話機１０（ＣＰＵ１０１）は、この設定内容に応じてＬＥＤ光源６３へ供給する電流の増減を投射制御回路６４へ指示する。「壁色」は、プロジェクタモジュール６が投影するスクリーンもしくは壁の色を表し、プロジェクタ付き携帯電話機１０（ＣＰＵ１０１）は、この設定内容に応じて色温度調節値を変更するように投射制御回路６４へ指示する。投射制御回路６４は、液晶パネル６２によるＲＧＢの信号比を調節し、スクリーンに投影する像の色を観察者にとって見やすい色にする。
【００９３】
「台形（たて）」は、縦方向のキーストン補正を表し、プロジェクタ付き携帯電話機１０（ＣＰＵ１０１）は、この設定内容に応じて縦方向についてキーストン補正処理を施す。「台形（よこ）」は、横方向のキーストン補正を表し、プロジェクタ付き携帯電話機１０（ＣＰＵ１０１）は、この設定内容に応じて横方向についてキーストン補正処理を施す。
【００９４】
「フォーカス」は、投影像のピント調節を表し、プロジェクタ付き携帯電話機１０（ＣＰＵ１０１）は、この設定内容に応じてフォーカス調節信号を投射制御回路６４へ送る。「連続投影時間」は、上述したオートパワーオフのための計時時間に対応し、プロジェクタ付き携帯電話機１０（ＣＰＵ１０１）は、この設定内容に応じてオートパワーオフ処理を行う。
【００９５】
「自動点灯（タイマー）」は、自動的に投影を開始させるタイマー動作を表し、プロジェクタ付き携帯電話機１０（ＣＰＵ１０１）は、この設定内容に応じてタイマー投影を行う。タイマー投影では、あらかじめ設定されている時刻になると、プロジェクタモジュール６に投影を自動的に開始させる。投影開始後のプロジェクタ付き携帯電話機１０（ＣＰＵ１０１）は、投影操作キー１１が押下操作される、もしくは連続投影時間が経過する、のいずれか早い方に応じて投影を終了させる。
【００９６】
「自動点灯（折り畳み）」は、折り畳み角度θの変更操作に応じて自動的に投影を開始させる動作を表し、プロジェクタ付き携帯電話機１０（ＣＰＵ１０１）は、この設定内容に応じてプロジェクタモジュール６による投影を開始させる。たとえば、投影操作キー１１が押下操作され、その後折り畳み角度θ＝８０度にされるとプロジェクタモジュール６に投影を開始させる。投影開始後のプロジェクタ付き携帯電話機１０（ＣＰＵ１０１）は、投影操作キー１１が押下操作される、もしくは連続投影時間が経過する、のいずれか早い方に応じて投影を終了させる。
【００９７】
プロジェクタ付き携帯電話機１０は、操作部材１１０を構成する操作キー１３が押下操作されると、その時点でカーソルで選択されていた項目に関する設定内容をハイライト表示する。図８は、「輝度」に関してハイライト表示し、他の項目に関してダーク表示する例である。図８によれば、設定されている輝度調節状態がバーグラフで示される。画面操作用のカーソルキー１６が左方向に操作されると、プロジェクタ付き携帯電話機１０はバーグラフの内容を左方向（低輝度側）へ変化させ、プロジェクタモジュール６による投影輝度を現在の設定輝度より低く変更する。
【００９８】
反対に、画面操作用のカーソルキー１６が右方向に操作されると、プロジェクタ付き携帯電話機１０はバーグラフの内容を右方向（高輝度側）へ変化させ、プロジェクタモジュール６による投影輝度を現在の設定輝度より高く変更する。設定内容がハイライト表示されている状態のカーソルキー１６による左右方向の操作信号は、設定変更指示に対応する。
【００９９】
設定内容が連続的に変更可能な制御量でない場合、プロジェクタ付き携帯電話機１０は設定状態をカーソルで示す。たとえば、「壁色」に関してハイライト表示する状態では、画面操作用のカーソルキー１６が左方向に操作されるとカーソルを黒→赤→黄→白へと左方向へ移動させ、画面操作用のカーソルキー１６が右方向に操作されるとカーソルを白→黄→赤→黒へと右方向へ移動させる。
【０１００】
メニュー画面において、操作キー１３が押下操作される前の全項目に関する設定内容、およびカーソル選択されていない項目（図８において「輝度」を除く他の項目）に関する設定内容は、それぞれダーク表示される。
【０１０１】
プロジェクタ付き携帯電話機１０は、操作部材１１０を構成する操作キー１３が再び押下操作されると、設定変更内容を記憶した上でハイライト表示を終了し、当該項目に関する設定内容をダーク表示に戻す。
【０１０２】
図９は、メニュー画面のうち着信設定メニュー（画面Ｃ．）を例示する図である。図９において、プロジェクタで知らせる、音声で知らせる、振動で知らせる、報知時間、メール内容を投影する、受信画像を投影する、という項目が表示され、先頭の「プロジェクタで知らせる」にカーソルがおかれている（枠で表示）。この状態で画面操作用のカーソルキー１６が下方向に操作されると、プロジェクタ付き携帯電話機１０はカーソル位置を下方向に移動させる。また、画面操作用のカーソルキー１６が上方向に操作されると、プロジェクタ付き携帯電話機１０はカーソル位置を上方向に移動させる。
【０１０３】
「プロジェクタで知らせる」は、プロジェクタモジュール６による着信報知を表し、プロジェクタ付き携帯電話機１０（ＣＰＵ１０１）は、この設定内容に応じて投射制御回路６４へ指示を送る。「はい」が選択されている場合、プロジェクタモジュール６によって投影中の投影像に重ねて着信報知情報をオーバーレイ投影させる。
【０１０４】
「音声で知らせる」は、スピーカー１１１による着信報知を表し、プロジェクタ付き携帯電話機１０（ＣＰＵ１０１）は、この設定内容に応じてスピーカー１１１に再生させる。再生音は、あらかじめ記憶されている音声案内データや、あらかじめ記憶されている着信メロディのデータによる。
【０１０５】
「振動で知らせる」は、不図示の振動発生装置による着信報知を表し、プロジェクタ付き携帯電話機１０（ＣＰＵ１０１）は、この設定内容に応じて振動を発生させる。「報知時間」は、着信報知を継続する時間を表し、プロジェクタ付き携帯電話機１０（ＣＰＵ１０１）は、この設定内容に応じて着信報知を継続する。
【０１０６】
「メール内容を投影する」は、メール表示操作に応じてメール内容を投影させる動作を表し、プロジェクタ付き携帯電話機１０（ＣＰＵ１０１）は、この設定内容に応じてプロジェクタモジュール６にメール内容を投影させたり、液晶表示器４にメール内容を表示させたりする。
【０１０７】
「受信画像を投影する」は、表示操作に応じて受信画像を投影させる動作を表し、プロジェクタ付き携帯電話機１０（ＣＰＵ１０１）は、この設定内容に応じてプロジェクタモジュール６に受信画像を投影させたり、液晶表示器４に受信画像を表示させたりする。
【０１０８】
プロジェクタ付き携帯電話機１０は、操作部材１１０を構成する操作キー１３が押下操作されると、その時点でカーソルで選択されていた項目に関する設定内容をハイライト表示する。図９は、「プロジェクタで知らせる」に関してハイライト表示し、他の項目に関してダーク表示する例である。図９によれば、設定状態がカーソルで示される。画面操作用のカーソルキー１６が左方向に操作されると、プロジェクタ付き携帯電話機１０はカーソルを左方向へ移動させる。反対に、画面操作用のカーソルキー１６が右方向に操作されると、プロジェクタ付き携帯電話機１０はカーソルを右方向へ移動させる。
【０１０９】
プロジェクタ付き携帯電話機１０は、操作部材１１０を構成する操作キー１３が再び押下操作されると、設定変更内容を記憶した上でハイライト表示を終了し、当該項目に関する設定内容をダーク表示に戻す。
【０１１０】
（プロジェクタ付き携帯電話機の着信処理）
上述したようにメニュー設定されたプロジェクタ付き携帯電話機１０のＣＰＵ１０１によって行われる着信処理の流れについて、図１０のフローチャートを参照して説明する。図１０による処理は、上記プロジェクタ処理中に通信制御部１０８から着信報知があると起動する。図１０のステップＳ７０１において、ＣＰＵ１０１は、発信元（メールの場合は差出人）を検索する。ＣＰＵ１０１は、ＣＰＵ１０１内の不揮発性メモリ（不図示）に設けられているデータベースにアクセスし、発信電話番号（メールの場合は発信メールアドレス）を探し、ステップＳ７０２へ進む。
【０１１１】
ステップＳ７０２において、ＣＰＵ１０１は、データベースに発信電話番号（メールの場合はメールアドレス）が登録されている場合にステップＳ７０２を肯定判定してステップＳ７０３へ進み、登録されていない場合にはステップＳ７０２を否定判定し、ステップＳ７０４へ進む。
【０１１２】
ステップＳ７０３において、ＣＰＵ１０１は、データベースから登録情報を読み出してステップＳ７０４へ進む。電話着信の場合は、発信電話番号に対応する登録者名を読み出し、メール着信の場合は、発信メールアドレスに対応する登録者名を読み出す。
【０１１３】
ステップＳ７０４において、ＣＰＵ１０１は、プロジェクタオンか否かを判定する。ＣＰＵ１０１は、プロジェクタモジュール６にコンテンツを投影させている場合にステップＳ７０４を肯定判定してステップＳ７０５へ進み、プロジェクタモジュール６に投影させていない場合にはステップＳ７０４を否定判定してステップＳ７０６へ進む。
【０１１４】
ステップＳ７０５において、ＣＰＵ１０１は着信通知をオーバーラップさせてステップＳ７１０へ進む。具体的には、投影像の邪魔にならないように投影中のコンテンツデータに登録者名を示す文字列を重ねてオーバーレイ投影するように投射制御回路６４へ指令を送る。これにより、投影像の一部に重ねて文字列による着信通知が投影される。なお、電話着信の場合で発信電話番号がデータベースに登録されていないときは発信電話番号を示す文字列を、メール受信の場合で発信メールアドレスがデータベースに登録されていないときは発信メールアドレスを示す文字列を、それぞれ投影中のコンテンツデータに重ねて投影する。
【０１１５】
ステップＳ７０６において、ＣＰＵ１０１は、着信時投影設定されているか否かを判定する。ＣＰＵ１０１は、着信設定メニューにおいて「プロジェクタで知らせる」が「はい」に設定されている場合にステップＳ７０６を肯定判定してステップＳ７０７へ進み、着信設定メニューにおいて「プロジェクタで知らせる」が「いいえ」に設定されている場合にはステップＳ７０６を否定判定し、ステップＳ７０９へ進む。
【０１１６】
ステップＳ７０７において、ＣＰＵ１０１は投射制御回路６４へ指令を送り、液晶パネル６２に着信通知画像を表示させてステップＳ７０８へ進む。着信通知画像は、データベース上で登録者名にそれぞれ関連づけられている画像データによる再生画像であり、静止画、動画、アイコン、アニメーション、テキスト画などのいずれかがあらかじめ用意される。発信元がデータベースに登録されていない場合は、あらかじめ用意されている汎用画像データによる再生画像を表示させる。この場合、登録されていない発信元からの着信は、共通の再生画像で報知される。
【０１１７】
ステップＳ７０８において、ＣＰＵ１０１は投射制御回路６４へ指令を送り、ＬＥＤ光源６３を点灯させてステップＳ７１０へ進む。これにより、プロジェクタモジュール６から着信通知画像が投影される。なお、ＣＰＵ１０１は、着信設定メニューにおいて「音声で知らせる」が「はい」に設定されている場合や、「振動で知らせる」が「はい」に設定されている場合には、それぞれの設定に応じて報知するようにスピーカーや振動発生装置（不図示）を制御する。音声は、データベース上で登録者名にそれぞれ関連づけられている音声データによる再生音であり、着信メロディ、案内メッセージ、効果音などのいずれかがあらかじめ用意される。発信元がデータベースに登録されていない場合は、あらかじめ用意されている汎用音声データを再生させる。この場合、登録されていない発信元からの着信は、共通の再生音で報知される。
【０１１８】
ステップＳ７０９において、ＣＰＵ１０１は、液晶表示器４に着信通知を表示させてステップＳ７１０へ進む。なお、サブＬＣＤ（液晶表示器）が設けられている場合には、サブＬＣＤに表示させてもよい。着信設定メニューにおいて「音声で知らせる」が「はい」に設定されている場合や、「振動で知らせる」が「はい」に設定されている場合には、それぞれの設定に応じて報知するようにスピーカーや振動発生装置（不図示）を制御する。
【０１１９】
電話着信を報知したＣＰＵ１０１は、電話応答操作が行われた場合（操作部材１１０を構成する操作キー１５が押下操作された場合）、電話動作へ移行する。プロジェクタモジュール６によって着信通知画像（オーバーレイ投影を含む）を投影している場合は、プロジェクタモジュール６による投影を終了させてから電話動作へ移行する。本説明では、電話動作の処理についての説明は省略する。
【０１２０】
メール着信を報知したＣＰＵ１０１は、ステップＳ７１０において、メール本文表示操作が行われたか否かを判定する。ＣＰＵ１０１は、操作部材１１０を構成する操作キー１３が押下操作されるとステップＳ７１０を肯定判定してステップＳ７１１へ進み、操作キー１３が押下操作されない場合にはステップＳ７１０を否定判定し、ステップＳ７１４へ進む。
【０１２１】
ステップＳ７１１において、ＣＰＵ１０１は、メール内容投影設定されているか否かを判定する。ＣＰＵ１０１は、着信設定メニューにおいて「メール内容を投影する」が「はい」に設定されている場合にステップＳ７１１を肯定判定してステップＳ７１２へ進み、着信設定メニューにおいて「メール内容を投影する」が「いいえ」に設定されている場合にはステップＳ７１１を否定判定し、ステップＳ７１３へ進む。
【０１２２】
ステップＳ７１２において、ＣＰＵ１０１は投射制御回路６４へ指令を送り、液晶パネル６２にメール本文を表示させる。これにより、プロジェクタモジュール６からメール本文が投影される。なお、ＣＰＵ１０１は、着信設定メニューにおいて「受信画像を投影する」が「はい」に設定されている場合、貼付画像ファイルを開く操作に応じて液晶パネル６２に受信画像を表示させるように構成されている。この結果、プロジェクタモジュール６によって受信画像を投影させることも可能である。ＣＰＵ１０１は、このように投影を行うと図１０による処理を終了する。
【０１２３】
ステップＳ７１３において、ＣＰＵ１０１は、液晶表示器４にメール本文を表示させるとともに、プロジェクタモジュール６による投影を終了させて図１０による処理を終了する。なお、サブＬＣＤ（液晶表示器）が設けられている場合には、サブＬＣＤに表示させてもよい。
【０１２４】
ステップＳ７１４において、ＣＰＵ１０１は、着信を報知してからの経過時間が所定時間に達したか否かを判定する。所定時間は、着信設定メニューにおいて「報知時間」として設定されている時間である。ＣＰＵ１０１は、所定時間に達するとステップＳ７１４を肯定判定してステップＳ７１５へ進み、所定時間に達しない場合にはステップＳ７１０へ戻る。ステップＳ７１０へ戻る場合は着信報知が継続される。
【０１２５】
ステップＳ７１５において、ＣＰＵ１０１は、プロジェクタモジュール６による投影（着信報知）を終了させて図１０による処理を終了する。
【０１２６】
プロジェクタ付き携帯電話機１０が周知のマナーモードに設定されている場合は、着信時投影設定されていてもステップＳ７０９へ進むようにＣＰＵ１０１によって制御される。すなわち、着信設定メニューにおいて「プロジェクタで知らせる」が「はい」に設定されている場合であっても、プロジェクタモジュール６による投影（着信報知）を禁止し、液晶表示器４によって着信報知を行う。なお、マナーモードにおいて投影操作キー１１が押下操作された場合は、投影操作に基づいてプロジェクタモジュール６による投影を開始させる。
【０１２７】
以上説明した実施形態によれば、次の作用効果が得られる。
（１）プロジェクタ付き携帯電話機１０を載置するクレードル２０に操作部材２１を設け、この操作部材２１によってプロジェクタ付き携帯電話機１０の投影に関する操作を可能にしたので、折り畳み状態のプロジェクタ付き携帯電話機１０を開かなくても投影操作が可能である。さらに、操作に伴ってプロジェクタ付き携帯電話機１０が揺れ、投影像を観察する人に不快感を与えることもない。
【０１２８】
（２）クレードル２０上にプロジェクタ付き携帯電話機１０を載置した状態で、プロジェクタモジュール６からの投影光束がクレードル２０によってけられないようにした（すなわち、投影光学系の開口をクレードル２０で塞がないように構成した）ので、載置状態のままで投影させることができる。
【０１２９】
（３）クレードル２０上にプロジェクタ付き携帯電話機１０を載置した状態で、プロジェクタモジュール６の投射光軸が水平方向より１０度上向きになるようにクレードル２０の機器載置部２２を構成したので、プロジェクタモジュール６からの投影光束の下部が載置平面でけられるおそれが少なくなる。なお、水平方向より上向きであれば、投射光軸は適宜変更して構わない。
【０１３０】
（４）プロジェクタ付き携帯電話機１０の同一面（表示部２の背面）にプロジェクタモジュール６およびカメラモジュール７を並べて配設したので、共通のレンズカバー８で両光学系を保護できる。
【０１３１】
（５）（４）に加えて、プロジェクタモジュール６およびカメラモジュール７の両光学系の光軸を平行にしたので、プロジェクタモジュール６による投影像をカメラモジュール７で撮影することが可能である。これにより、カメラモジュール７で撮影される被写体像のエッジのボケをなくし、画像のコントラストを最大にするように投影レンズ６１を構成するフォーカスレンズを光軸方向にシフトすることにより、プロジェクタモジュール６のフォーカス調節を自動で行うことが可能になる。
【０１３２】
（６）プロジェクタ付き携帯電話機１０は、表示部２の正面に通話用のスピーカー２０１が配設され、表示部２の背面にプロジェクタモジュール６が配設される。これにより、通話時にプロジェクタモジュール６からの投影光束が使用者の耳（すなわち頭部）の方向に向かないことから、投影光束が誤って使用者の目に入り、眩しく感じるおそれがない。
【０１３３】
（７）プロジェクタ付き携帯電話機１０を折り畳み自在に構成し、そのヒンジ部３をクリック位置でなくても任意の角度で保持可能にしたので、プロジェクタ付き携帯電話機１０を単体で平面上に載置させてプロジェクタモジュール６を投射させる場合、投影光束の向き（水平方向に対する投射光軸の角度）を任意に調節できる。
【０１３４】
（変形例１）
図５において、プロジェクタ付き携帯電話機１０がクレードル２０上の機器載置部２２に載置されたと判定した場合（ステップＳ４を肯定判定）、投影像の輝度を通常時（プロジェクタ付き携帯電話機１０が単体で使用される場合）より高くするようにしてもよい。この場合のＣＰＵ１０１は、投射制御回路６４へ指令を送り、ＬＥＤ光源６３への供給電流を通常レベルより所定電流だけアップさせる。
【０１３５】
投影像の輝度をアップさせたＣＰＵ１０１は、プロジェクタ付き携帯電話機１０が単体で使用されると判定した場合（ステップＳ４を否定判定）、投影像の輝度をクレードル２０上で使用される場合より低くする。この場合のＣＰＵ１０１は、投射制御回路６４へ指令を送り、ＬＥＤ光源６３への供給電流を通常レベルまでダウンさせる。プロジェクタ付き携帯電話機１０が単体で使用される場合の消費電流を抑えることにより、バッテリー１０３を長く持たせることができる。
【０１３６】
（変形例２）
図５のステップＳ１１において、現在の時刻を示す投影を１０秒間行うようにしたが、現在時刻の代わりに、インターネットから入手されるニュースおよび株価などの情報、あらかじめ用意される伝言メッセージ、着信している未読メールなどの情報を投影してもよい。なお、投影時間は１０秒間に限らず、あらかじめ任意の時間に変更可能に構成されている。また、投影指示から所定時間（１０秒間）投影する代わりに、投影指示が継続している間は投影も継続させるように構成してもよい。
【０１３７】
（変形例３）
クレードル２０にＣＰＵ２０１を搭載させる例を説明したが、ＣＰＵを搭載しない構成としてもよい。この場合のプロジェクタ付き携帯電話機１０のＣＰＵ１０１は、ＣＰＵを搭載しないクレードルから外部インターフェース(I/F)１０６の電源ラインを介して電源が供給されていればプロジェクタ付き携帯電話機１０がクレードルに載置されていると判定し、電源が供給されなければプロジェクタ付き携帯電話機１０が単体で使用されると判定する。
【０１３８】
（変形例４）
上記の説明では、着信報知をプロジェクタモジュール６による投影像で行うか否かの設定を全ての着信に対して共通に行うようにしたが、プロジェクタで着信報知する／しないを発信元ごとに設定するように構成してもよい。この場合は、データベース上の登録者名ごとに、プロジェクタを用いて報知する／しないを登録しておく。これにより、発信元によってプロジェクタモジュール６による投影像で着信を報知したり、液晶表示器４による表示で着信を報知したりさせることができる。
【０１３９】
（変形例５）
図１０において、着信時投影設定されている（ステップＳ７０６を肯定判定）場合、プロジェクタモジュール６から着信通知画像を投影させるための条件判定を加えてもよい。たとえば、プロジェクタ付き携帯電話機１０が折り畳み角θ＝８０度に開かれ、かつプロジェクタ付き携帯電話機１０が単体で使用されると判定した場合にステップＳ７０７およびステップＳ７０８へ進み、プロジェクタモジュール６から着信通知画像を投影させるとともに、液晶表示器４の表示をオフさせる。また、プロジェクタ付き携帯電話機１０がクレードル２０上に折り畳み状態で載置されたと判定した場合にもステップＳ７０７およびステップＳ７０８へ進み、プロジェクタモジュール６から着信通知画像を投影させるとともに、液晶表示器４の表示をオフさせる。
【０１４０】
一方、プロジェクタ付き携帯電話機１０の折り畳み角θが８０度を超えている場合であって、プロジェクタ付き携帯電話機１０が単体で使用されると判定した場合は、ステップＳ７０９へ進み、プロジェクタモジュール６による着信通知画像を投影しないで液晶表示器４で着信通知を表示する。また、プロジェクタ付き携帯電話機１０が折り畳み状態（θ＝０度）にされ、かつプロジェクタ付き携帯電話機１０が単体で使用されると判定した場合は、プロジェクタモジュール６による着信通知画像を投影せず、液晶表示器４による表示もオフのままとする。これにより、使用者が液晶表示器４を観察していると見なせる場合（θ＞８０度）や、折り畳み状態のプロジェクタ付き携帯電話機１０が鞄などに収容されている場合にはプロジェクタモジュール６が投影しないように制御できる。
【０１４１】
（変形例６）
折り畳み状態のプロジェクタ付き携帯電話機１０がプロジェクタモジュール６によって着信通知画像を投影させた場合（ステップＳ７０７，Ｓ７０８）、折り畳み角θ≠０度にされるとプロジェクタモジュール６による着信通知画像の投影を終了させるように構成してもよい。これにより、使用者がメール本文表示操作を行うために折り畳み状態から開操作すると自動的に投影が終了するので、投影光束が誤って目に入り、眩しく感じるおそれがない。
【０１４２】
（変形例７）  
上記実施形態では、「メニュー画面」を液晶表示器４にのみ表示するようにしたが、プロジェクタモジュール６からも同じ画面を投影するように構成してもよい。この場合のプロジェクタ付き携帯電話機１０は、操作キー１２が押下操作されると液晶表示器４に「メニュー画面」を表示するとともに、プロジェクタモジュール６にも「メニュー画面」を投影させる。「メニュー画面」を投影することにより、メニューによる設定内容が投影像の観察者にも示される。一方、操作部材１１０を操作する使用者にとっては、操作部材１１０に近い液晶表示器４に表示される「メニュー画面」を見ながら操作できるので、操作部材１１０から離れた位置に投影される「メニュー画面」を見ながら操作するよりも使い勝手がよくなる。さらに、「輝度」、「壁色」、「台形」、および「フォーカス」などの「プロジェクタ調節メニュー」で変更した内容をただちに投影像に反映することにより、調節結果を確認しながら操作することができる。
【０１４３】
液晶表示器４およびプロジェクタモジュール６に同じ画面を表示（投影）させるタイミングは、上記のように操作キー１２の押下操作に応じて液晶表示器４およびプロジェクタモジュール６の双方に同時に行う他に、次のようにしてもよい。すなわち、操作キー１２の押下操作に応じて「メニュー画面」を液晶表示器４のみに表示させた後、さらに項目選択指示（カーソルキー１６による操作信号）に応じて「メニュー画面」をプロジェクタモジュール６に投影させるように構成する。
【０１４４】
以上の説明はあくまで一例であり、発明を解釈する上で、上記の実施形態の構成要素と本発明の構成要素との対応関係に何ら限定されるものではない。
【図面の簡単な説明】
【０１４５】
【図１】一実施の形態によるプロジェクタ付き携帯電話機の外観図であり、(a)は正面図、(b)は側面図、(c)は背面図である。
【図２】図１のプロジェクタ付き携帯電話機の回路構成を説明するブロック図である。
【図３】クレードルおよびプロジェクタ付き携帯電話機を説明する斜視図である。
【図４】クレードルの回路構成を説明するブロック図である。
【図５】プロジェクタ付き携帯電話機のＣＰＵによって行われるプロジェクタ処理の流れを説明するフローチャートである。
【図６】プロジェクタ付き携帯電話機のＣＰＵによって行われるプロジェクタ処理の流れを説明するフローチャートである。
【図７】クレードルのＣＰＵによって行われるメイン処理の流れについて説明するフローチャートである。
【図８】メニュー画面のうちプロジェクタ調節メニューを例示する図である。
【図９】メニュー画面のうち着信設定メニューを例示する図である。
【図１０】プロジェクタ付き携帯電話機のＣＰＵによって行われる着信処理の流れを説明するフローチャートである。
【符号の説明】
【０１４６】
４…液晶表示器
６…プロジェクタモジュール
７…カメラモジュール
８…レンズカバー
１０…プロジェクタ付き携帯電話機
２０…クレードル
２１、１１０…操作部材
２２…機器載置部
６４…投射制御回路
１０１、２０１…ＣＰＵ
【図１】
2007074653.tif 000003
【図２】
2007074653.tif 000004
【図３】
2007074653.tif 000005
【図４】
2007074653.tif 000006
【図５】
2007074653.tif 000007
【図６】
2007074653.tif 000008
【図７】
2007074653.tif 000009
【図８】
2007074653.tif 000010
【図９】
2007074653.tif 000011
【図１０】
2007074653.tif 000012